(57)【要約】【課題】 本発明の目的は、限られたスイッチ又はボタンで数多くの機能を使いこなすことのできる光電スイッチを提供する。【解決手段】 基本表示画面である「受光量及び／又はしきい値関連表示」モードから、第２群の項目を表示する第２表示画面である「動作機能設定」モードへの移行の途中で、「Ｅａｓｙ」又は「Ｐｒｏ」の何れかをユーザに選択させる選択画面が表示され、この選択画面で、ユーザが「Ｅａｓｙ」又は「Ｐｒｏ」のいずれか一方を選択してこれを設定する。「Ｐｒｏ」モードでは、全ての機能に関する設定項目を表示するが、「Ｅａｓｙ」モードは基本的な項目だけを表示する。基本表示画面は、全ての項目を表示する全表示（Ｆｕｌｌ）モードと、一部の項目を表示する部分表示（Ｓｔｄ）モードとに切り替え可能である。【選択図】          図４
2010232186.tif 000002
【特許請求の範囲】
【請求項１】
表示部を備えた多機能の光電スイッチであって、該光電スイッチに関する情報に含まれる複数の項目を各項目毎に、順次、前記表示部に表示可能であると共に表示された内容を変更又は調整することのできる光電スイッチであって、
前記表示部に表示する情報のうち、しきい値に関連した複数の項目を含む第１群の情報の表示を行う第１表示画面と、
前記表示部に表示する情報のうち、前記光電スイッチの機能に関連した複数の項目を含む第２群の情報の表示を行う第２表示画面と、
前記表示部に表示する情報のうち、前記表示部の表示に関連した複数の項目を含む第３群の情報の表示を行う第３表示画面とを表示可能であり、
前記第１表示画面から前記第２表示画面又は第３表示画面へ切り替え可能であることを特徴とする光電スイッチ。
【請求項２】
前記第１表示画面が、前記第１群の情報に含まれる表示項目の一部の表示項目に限定して表示する部分表示モードと、前記第１群の情報に含まれる表示項目の全てを表示する全表示モードとに選択可能であることを特徴とする請求項１の光電スイッチ。
【請求項３】
前記第３群に、前記部分表示モードと前記全表示モードとを選択するための表示モード選択項目を含むことを特徴とする請求項１の光電スイッチ。
【請求項４】
前記第２表示画面が、第２群の情報に含まれる表示項目のうち一部の表示項目に限定して表示する第１モードと、前記第２群の情報に含まれる表示項目の全てを表示する第２モードとに選択可能であることを特徴とする請求項１〜３のいずれか一項の光電スイッチ。
【請求項５】
前記第１モードと前記第２モードとを選択するための選択画面が、前記第１表示画面から前記第２表示画面へ切り替える途中に表示され、該選択画面には、更に、前記第３表示画面への移行が選択可能であることを特徴とする請求項４の光電スイッチ。
【請求項６】
表示部を備えた多機能の光電スイッチであって、該光電スイッチに関する情報に含まれる複数の項目を各項目毎に、順次、前記表示部に表示可能であると共に表示された内容を変更又は調整することのできる光電スイッチであって、
前記表示部に表示する情報のうち、しきい値に関連した複数の項目を含む第１群の情報の表示を行う第１表示画面と、前記表示部に表示する情報のうち、前記光電スイッチの機能に関連した複数の項目を含む第２群の情報の表示を行う第２表示画面とが切り替え可能であり、
前記第２群の情報に含まれる表示項目が、前記光電スイッチの基本的な動作設定に関連する項目と、比較的使用頻度の少ない項目に分類され、
前記第２表示画面は、前記光電スイッチの基本的な動作設定に関連する項目を表示した後に表示される選択画面を含み、該選択画面において、前記第２表示画面を完了して前記第１表示画面に戻るか前記比較的使用頻度の少ない項目の表示に進行するかが選択可能であることを特徴とする光電スイッチ。
【請求項７】
表示部を備えた多機能の光電スイッチであって、該光電スイッチに関する情報を前記表示部に表示可能であると共に表示された内容を変更又は調整することのできる光電スイッチであって、
前記表示部にしきい値と受光量の表示を行う第１表示画面と、前記表示部に表示する情報のうち、前記光電スイッチの機能に関連した複数の設定項目に関する第２群の情報の表示を行う第２表示画面とが切り換え可能であり、
前記第２表示画面は、前記各設定項目が、順次、表示され、表示された前記設定項目に関してキー操作することにより設定内容を変更でき、
前記第２群の情報に含まれる設定項目が、使用頻度の大小によって分類され、使用頻度の高い設定項目を表示した後に、使用頻度の低い設定項目の表示に移行するか否かを要求する選択画面が前記表示部に表示されることを特徴とする光電スイッチ。
【請求項８】
前記比較的使用頻度の高い設定項目が、検出環境に適合した各種の検出能力の動作モードを選択できる動作機能設定と、タイマ設定を含む、請求項７に記載の光電スイッチ。
【請求項９】
前記動作機能設定が、その選択肢として、高い精度のファインモードと、高い応答速度のハイスピードモードとを含む、請求項８に記載の光電スイッチ。
【請求項１０】
前記タイマ設定が、タイマオフの設定と、ＯＦＦ信号を遅延して出力するＯＦＦ遅延の設定と、ＯＮ信号を遅延して出力するＯＮ遅延の設定と、ワンショット設定とを含む、請求項８に記載の光電スイッチ。
【請求項１１】
前記使用頻度の低い設定項目が微分モードの設定を含む、請求項７に記載の光電スイッチ。
【発明の詳細な説明】
【技術分野】
【０００１】
この発明は、光電スイッチに関し、特に表示手段を備えた光電スイッチに関する。
【背景技術】
【０００２】
光電スイッチは、製造現場や製品検査工程などで、検出物の有無を検出するのに用いられる。工業製品の小型化あるいは製造コストの削減、品質向上など、製造現場への要求は、年々厳しさを増している。このような環境で、各種センサ又はスイッチに要求される性能も高くなり、また、高機能化の要求も強くなっている。また、省スペースの要請は、光電スイッチにも波及するものであり、一層の小型化が常に要請されている。
【０００３】
従来の光電スイッチの中には、表示部を備えたものが知られており、この種の光電スイッチにあっては、例えばしきい値を表示させながらスイッチ又はボタンを押して、設定しきい値を微調整できるようになっている。
【発明の概要】
【発明が解決しようとする課題】
【０００４】
数多くの機能の設定や調整を行うのに、これに関する情報を表示させるには、ボタン又はスイッチを操作する回数が増大することになる。この問題は、小型化により隣接するボタン又はスイッチの間隔が狭くなると、誤操作の問題が常に付きまとい、一度、誤操作してしまうと、最初からやり直しということで、何回もボタン又はスイッチを反復的に押して初期画面に戻り、更に、何回もボタン又はスイッチを押して問題の画面表示に戻らなければならないという、極めて煩わしい作業をユーザに強いることになる。
【０００５】
そこで、本発明の目的は、限られたスイッチ又はボタンで数多くの機能を使いこなすことのできる光電スイッチを提供することにある。本発明の他の目的は、多機能化に伴って表示しながら調整するのに、ボタン又はスイッチの押す回数を減らすことのできる光電スイッチを提供することにある。本発明の別の目的は、多機能な光電スイッチであっても、設定に関する操作の上では、使用頻度の高い機能に限定した光電スイッチであるかのようにユーザに思わせることのできる光電スイッチを提供することにある。本発明の他の目的は、光電スイッチの扱いに馴れたユーザであっても馴れていないユーザであっても、幅広いユーザに対して使い易い、多機能な光電スイッチを提供することにある。
【課題を解決するための手段】
【０００６】
かかる技術的課題は、本発明によれば、典型的には、表示部を備えた多機能の光電スイッチであって、該光電スイッチに関する情報に含まれる複数の項目を各項目毎に、順次、前記表示部に表示可能であると共に表示された内容を変更又は調整することのできる光電スイッチであって、前記表示部に表示する情報のうち、しきい値に関連した複数の項目を含む第１群の情報の表示を行う第１表示画面と、前記表示部に表示する情報のうち、前記光電スイッチの機能に関連した複数の項目を含む第２群の情報の表示を行う第２表示画面と、前記表示部に表示する情報のうち、前記表示部の表示に関連した複数の項目を含む第３群の情報の表示を行う第３表示画面とを表示可能であり、前記第１表示画面から前記第２表示画面又は第３表示画面へ切り替え可能である
【発明の効果】
【０００７】
以上説明したように、本発明によれば、限られたスイッチ又はボタンで数多くの機能を使いこなすことのできる光電スイッチを提供することができる。
【図面の簡単な説明】
【０００８】
【図１】本発明が適用可能な光電スイッチを例示するものであり、デュアルモニタ式の反射型光電スイッチの斜視図である。
【図２】図１の光電スイッチの平面図である。
【図３】図１の光電スイッチの回路図である。
【図４】第１実施例の表示方法の概要の説明図である。
【図５】第１実施例の基本表示画面の表示形態及び表示項目のフローを示す図である。
【図６】７セグメントを４つ横並びにした４桁表示で余裕度をバー形式で表示する例を説明するための図である。
【図７】第１実施例の基本表示画面における全表示モード（「Ｆｕｌｌ」モード）に関するフローチャートである。
【図８】第２表示画面での表示に関するモード選択を行う工程での表示画面を説明するための図である。
【図９】全表示モード（「Ｆｕｌｌ」モード）から第２表示画面の表示モードの選択工程に移行し、この選択工程で選択されたモードで第２表示画面が表示されるまでの流れを説明するための図である。
【図１０】部分表示モード（「Ｓｔｄ」モード）から第２表示画面の表示モードの選択工程に移行し、この選択工程で選択されたモードで第２表示画面が表示されるまでの流れを説明するための図である。
【図１１】基本表示画面からから第２表示画面の表示モードの選択工程に移行し、この選択工程で選択されたモードで第２表示画面が表示されるまでのフローチャートである。
【図１２】「Ｅａｓｙ」モードでの第２表示画面の表示形態及び表示項目のフローを示す図である。
【図１３】「Ｅａｓｙ」モードでの動作モード切り替え項目での流れを説明するためのフローチャートである。
【図１４】「Ｅａｓｙ」モードで表示される項目の流れを説明するためのフローチャートである。
【図１５】「Ｐｒｏ」モードでの第２表示画面の表示形態及び表示項目のフローを示す図である。
【図１６】第２実施例の表示方法の概要の説明図である。
【図１７】第２実施例での基本表示画面（「Ｆｕｌｌ」モード表示）で表示される項目の流れを説明するためのフローチャートである。
【図１８】第２実施例での基本表示画面（「Ｓｔｄ」モード表示）で表示される項目の流れを説明するためのフローチャートである。
【図１９】第２実施例での基本表示画面の表示形態及び表示項目のフローを示す図である。
【図２０】第２実施例での第２表示画面である動作機能設定モードでの表示形態及び表示項目のフローを示す図である。
【図２１】第２実施例での第３表示画面であるディスプレー機能設定モードでの表示形態及び表示項目のフローを示す図である。
【図２２】第３実施例の表示方法の概要の説明図である。
【図２３】第３実施例では、基本画面表示から第２表示画面である動作機能設定モードへ直接的に切り替わることを説明するための図である。
【図２４】第３実施例にあっては、第２表示画面である動作機能設定モードの各項目の表示フローの途中に、更に動作機能設定モードでの項目表示を進めるか否かの選択工程を含むことを説明するための図である。
【図２５】第３実施例の第２表示画面である動作機能設定モードでの表示形態及び表示項目のフローを示す図である。
【図２６】第４実施例の表示方法の概要の説明図である。
【図２７】第４実施例の表示方法に関し、基本表示画面（「Ｓｔｄ」モード）から選択工程に移行し、この選択工程で選択されたモードで第２表示画面又は第３表示画面が表示されるまでの流れを説明するための図である。
【図２８】第４実施例に関し、モード選択工程での表示画面を説明するための図である。
【図２９】第４実施例での第２表示画面に関する「Ｅａｓｙ」モードでの表示形態及び表示項目のフローを示す図である。
【図３０】第４実施例での第２表示画面に関する「Ｐｒｏ」モードでの表示形態及び表示項目のフローを示す図である。
【図３１】第４実施例での第３表示画面に関する「ディスプレー」モードでの表示形態及び表示項目のフローを示す図である。
【図３２】一つの表示部に本発明が適用可能であることを説明するための具体例の基本表示画面での表示形態及び表示項目のフローを示す図である。
【図３３】一つの表示部だけで、第１実施例と同様に、第２表示画面での表示に関するモード選択を行う工程での表示画面を説明するための図である。
【図３４】一つの表示部だけで、第１実施例と同様の「Ｅａｓｙ」モードにおける表示形態及び表示項目のフローを示す図である。
【図３５】一つの表示部だけで、第１実施例と同様の「Ｐｒｏ」モードにおける表示形態及び表示項目のフローを示す図である。
【図３６】本発明が適用可能な他のレーザ式光電スイッチの斜視図である。
【図３７】図３６に含まれる光電スイッチに設けられたバーＬＥＤモニタの部分を拡大して示す図である。
【図３８】図３５のレーザ式光電スイッチの回路図である。
【図３９】本発明が適用可能な別体型光電スイッチの斜視図である。
【図４０】図３９の光電スイッチの変形例のヘッドユニットの斜視図である。
【発明を実施するための形態】
【０００９】
本発明の好ましい実施の形態では、例えば、前記第１表示画面が、前記第１群の表示項目の一部の表示項目に限定して表示する部分表示モードと、前記第１群の表示項目の全てを表示する全表示モードとに選択可能であることが好ましい。
【００１０】
本発明によれば、ユーザが第２表示画面の第１モード又は第２モードを選択することができる。第１モードを選択したときには、光電スイッチの機能の関連した一部の表示項目だけが表示されることになる。この第１モードで表示する項目としては、光電スイッチの動作に関連した基本的な設定に関する項目及び／又は使用頻度が比較的高い項目であるのがよい。
【００１１】
本発明によれば、ユーザの選択により、全ての項目を表示させることもできるし、その一方で限定した項目だけを表示させることができる。したがって、例えば一般的なユーザは、制限した項目だけを表示させるようにすれば、光電スイッチは特別に設定する必要のない項目を表示することなく、限定的な機能しか備えていない光電スイッチと同等のそれほど煩わしくない操作で、検出環境に見合った設定を完了することができる。他方、光電スイッチの知識が豊富であり、光電スイッチを使いこなすことのできるユーザであれば、光電スイッチの表示部に全ての項目を表示させることで、多機能な光電スイッチの全ての機能を任意に設定又は調整することができる。
【００１２】
以下に、添付した図面に基づいて本発明の好ましい実施例を詳しく説明する。図１、図２は、第１実施例の光電スイッチを示すものであり、図１は光電スイッチの斜視図であり、図２は、その平面図である。図示の光電スイッチ１００は、検出物に光を当ててその反射光を受光する形式のいわゆる反射型光電スイッチである。また、この光電スイッチ１００は、増幅器やＣＰＵなどを組み込んだ本体に発光素子と受光素子を配置した一体型の光電スイッチである。
【００１３】
光電スイッチ１００は、幅狭の比較的細長いボックス状のケーシング１１を有し、ケーシング１１の内部には、発光素子１２と受光素子１３（図３参照）とが設けられ、この両素子１２、１３に臨む光ファイバ１４、１５がケーシング１１の一端面から外部に延出している。光電スイッチ１００への電源供給及び出力は、ケーシング１１の他端面から延出するケーブル１６（図１）を通じて行われる。このケーシング１１の上面１１ａには、左右又は横並びに隣接して配置された第１、第２の表示部１７、１８が設けられている。この第１、第２の表示部１７、１８は、共に、前後又は横並びに隣接して配置された４つのセクションを有し、各セクションは７セグメントＬＥＤで構成されている。すなわち、第１、第２の表示部１７、１８は、数字及び／又はアルファベット文字を横並びに４つ表示することができる。従って、例えば第１、第２の表示部１７、１８で数値を表示するときには、４桁の数値を表示することが可能である。７セグメントＬＥＤは、これを１色ＬＥＤで構成してもよく、また、２色ＬＥＤで構成してもよい。また、第１、第２の表示部１７、１８は、白黒又はカラー液晶（ＬＣＤ）で構成されてもよい。
【００１４】
ケーシング１１の上面１１ａには、また、出力論理スイッチ１９と、出力オン／オフ−インジケータ２０と、スイング式のしきい値調整スイッチ又は上下キースイッチ２１と、しきい値設定又はしきい値セットキースイッチ２２と、表示モード切り替えキースイッチ２３（以下、Ｍキーという）とを有し、このケーシング１１の上面１１ａは、その他端にピボット軸を介して取り付けられた片開き式の蓋２４（図１）を有し、この蓋２４によって上面１１ａを覆うことができる。
【００１５】
出力オン／オフ−インジケータ２０は、受光量としきい値の関係から、検出物の有無を検出し、出力する状態を示す時に点灯又は消灯する。また、その点灯や消灯と出力状態との関係の論理（オン時に点灯又は消灯）は出力論理スイッチ１９により変更できる。
【００１６】
しきい値設定（セット）キースイッチ２２は、しきい値を自動的に設定するのに用いられる。すなわち、検出物Ｔ（図３参照）を検出エリアに配置した状態で、しきい値設定キースイッチ２２を押し、次いで、検出エリアから検出物Ｔを取り除いた状態で、しきい値設定キースイッチ２２を再び押すと、検出物Ｔが存在しているときの受光量と、検出物Ｔを取り除いたときの受光量との間の値がしきい値として自動的に設定される。この設定しきい値は、後に詳しく説明するように、第１表示部１７又は第２表示部１８に表示される。Ｍキー２３は、後に詳しく説明するように、第１、第２の表示部１７、１８の表示画面の切り替え及び表示項目の変更などに用いられる。
【００１７】
図３は、光電スイッチ１００の全体概要を示すブロック図である。光電スイッチ１００は、例えば光ダイオードなどからなる発光素子１２を発光させるための駆動回路３０と、モニタ用の光ダイオード３１とを有し、また、光ダイオードなどからなる受光素子１３に接続された受光回路３２と、この受光回路３２からの出力信号をＡ／Ｄ変換するＡ／Ｄ変換器３３と、第１、第２の表示部１７、１８を制御するゲートアレイ又は制御回路３４と、この制御回路３４からの信号を外部に送出する出力回路３５とを有し、先に説明したしきい値調整スイッチやモード切り替えキースイッチなど各種スイッチ２１〜２３を含む操作部３６からの信号は制御回路３４に入力される。
【００１８】
光電スイッチ１００は、既知のように、受光素子１３が獲得した受光量をしきい値と比較し、その大小によって検出物Ｔの有無を検出し、その結果を出力するものである。例えば、受光素子１３が獲得した現在の受光量と、検出物Ｔの有無を検出するために設定されているしきい値は、上述した第１、第２の表示部１７、１８に表示される。現在の受光量を左側の第１表示部１７に表示するか右側の第２表示部１８に表示するかは任意である。すなわち、左右の表示部１７、１８のいずれか一方に現在の受光量が表示され、他方にしきい値が表示される。この実施例では、左側の第１表示部１７にしきい値を表示し、右側の第２表示部１８に現在の受光量を表示するようになっている。
【００１９】
第１、第２表示部１７、１８からなるディスプレーに表示する情報は、大別すると次のとおりである。
（Ａ）受光量及び／又はしきい値関連（Ｂ）動作状態の確認（Ｃ）各種設定事項やパラメータつまり動作機能設定（Ｄ）ディスプレー関係
【００２０】
（Ａ）「受光量及び／又はしきい値関連」に関する表示項目（１）現在の受光量の数値表示（２）しきい値の数値表示（３）余裕度のパーセント（％）表示余裕度とは、しきい値に対する現在の受光量の相対値であり、次の式で表すことができる。
余裕度＝受光量／しきい値
【００２１】
（４）余裕度のバー形式表示（６）所定時間内での受光量のピーク及びボトムの数値表示（５）所定時間内での受光量のピーク及びボトムのパーセント（％）表示
【００２２】
（Ｂ）「動作状態の確認」に関する表示項目（１）動作モードの確認動作モードとは、実施例の光電スイッチ１００で設定可能な複数の動作又は能力に関するものであり、最適な検出距離などによって複数の動作モードの中から一つの動作モードを設定できるようになっている。この動作モードについては、後に詳しく説明する。
（２）タイマモードの確認タイマモードについては、後に説明する。
【００２３】
（Ｃ）「動作機能設定」に関する表示項目（１）動作モード切り替え後に詳しく説明するが、光電スイッチ１００は、複数の動作モードから一つの動作モードを選択して使用することにより、検出環境に適合した能力で使用できるようになっている。
【００２４】
（２）タイマモードのオン／オフ切り替え及びタイマ値設定タイマモードがＯＦＦされると、光電スイッチ１００が検出物Ｔの存在を検出すると直ちに検出信号を出力し、検出物Ｔの存在を検出している間、検出信号を出力し続ける。これに対して、タイマモードをＯＮすると、検出物Ｔの存在を検出した後、設定した遅延時間が経過した後に、ＯＮ信号を出力するか、又は、検出物Ｔの存在が無くなったことを検出した後、設定した遅延時間が経過した後に、ＯＦＦ信号を出力する。この遅延時間（タイマ値）についても任意に設定することができる。
【００２５】
また、このタイマモードのオン／オフ切り替えは、ワンショット制御を含む。ワンショット制御とは、例えば検出物Ｔを検出した際、この検出物Ｔを検出している期間に影響されず、検出に対応して一度だけ生成されるＯＮ信号の立ち上がりから一定時間ＯＮ信号を出力するものである。具体的には、検出物Ｔが微小物体で実際の検出時間が短い際に、ＯＮ信号をそれよりも長い時間に設定したい場合や、逆に実際の検出時間が長い場合に、それよりも短いＯＮ信号出力時間を設定したい場合に使用される。また、このＯＮ信号出力時間の長さはタイマ値として任意に設定することができる。
【００２６】
（４）光電スイッチ１００が備えるＡＰＣ機能のオン／オフ切り替えここに、ＡＰＣ機能とは、既知のように、発光素子１２の発光量を一定に維持するための機能であり、オンするとＡＰＣ機能が働き、オフするとＡＰＣ機能がキャンセルされる。
（５）微分モードの切り替えこの微分モードをオンすると、デジタル処理により、受光量の微分波形が出力される。この微分モードは、検出物Ｔの通過の際の信号の立ち上がり又は立ち下がりの検出つまりエッジ検出などに用いられる。
（６）基本表示画面である「しきい値関連表示」モードでの表示モードの設定光電スイッチ１００にあっては、「しきい値関連表示」に関する一部の項目だけを表示する部分表示モード（「Ｓｔｄ」モード）と、全ての項目を表示する全表示モード（「Ｆｕｌｌ」モード）とに選択可能である。
【００２７】
（Ｄ）ディスプレー関係に関する表示項目（１）エコモードの切り替えエコモードは、２段階に設定できるようになっている。第１段階は、これを「ハーフ（Half）」モードと呼ぶが、数値などが単に例えば赤又は緑の小さなランプ状の表示形態に変り、何らかのキーを押すと、通常の表示つまり数値又は文字に戻る。第２段階は、これを「オール（All）」モードと呼ぶが、数値などが完全に消灯して何らかのキーを押すと通常の表示に戻る。（２）表示値シフト切り替え受光量の表示において、その数値をシフトさせるものである。表示値シフト切り替えをオフすると、実際の受光量に対応する数値が表示されるが、オンすると、ユーザが任意に設定した数値分だけ実際の数値よりも大きい又は小さい数値が表示される。例えば、光電スイッチを４つ並べて配置したときに、各光電スイッチ事に受光量の表示が異なるような場合に、視覚的に、表示される数値を統一するときに用いられる。
【００２８】
以上、列挙した表示項目の単なる例示であり、光電スイッチが益々多機能化すれば、これに伴って表示すべき情報として別の項目が追加されることになるであろうし、設計する光電スイッチの付加的な機能に応じて表示項目が変更されるのは勿論である。
【００２９】
光電スイッチ１００の第１、第２の表示部１７、１８での情報表示に関し、その概要は次のとおりである。
【００３０】
（１）第１の情報群と第２の情報群とに大別してある。基本表示画面に表示される第１の情報群は、（Ａ）「受光量及び／又はしきい値関連」の項目と（Ｂ）「動作状態の確認」の項目とからなる。第２の情報群は、（Ｃ）「各種設定事項やパラメータ」に関する項目と（Ｄ）「ディスプレー関連」の項目からなる。
【００３１】
もし好ましいのであれば、３つの群に大別してもよく、上記（Ａ）〜（Ｄ）の項目をそのまま４つの群として大別するようにしてもよい。また、（Ａ）〜（Ｄ）に列挙した項目を別の視点から分類分けするようにしてもよい。
【００３２】
（２）基本表示画面を構成する第１の情報群のうち、ユーザの使用頻度や必要性の度合いなどを考慮に入れて、特に使用頻度や必要性の度合いの高い項目だけを表示する部分表示モード（「Ｓｔｄ」モード）と、全ての項目を表示する全表示モード（「Ｆｕｌｌ」モード）とを択一的にユーザが選択できるようになっている。
【００３３】
（３）第２表示画面は第２の情報群の「動作機能設定」及び「ディスプレー関連」に関するものであるが、この第２情報群に含まれる項目の中から、光電スイッチ１００の基本的な設定に関するもの又はユーザの使用頻度や必要性の度合いの高い項目だけを表示する部分表示モード（「Ｅａｓｙ」モード）と、全ての項目を表示する全表示モード（「Ｐｒｏ」モード）とを択一的にユーザが選択できるようになっている。勿論、動作機能設定に関する項目とディスプレー関連の項目とを分けて、動作機能設定に関する項目の一部を表示する第１のモードと、動作機能設定に関する項目の全てを表示する第２のモードと、ディスプレー関連の項目を表示する第３のモードの３つモードに分類し、ユーザがその目的に応じて選択できるようにしてもよい。このような分類分けは、通常の使用状態で必要な設定項目であるか、特別な使用状態で必要とされる設定項目であるかによって行うようにしてもよい。
【００３４】
光電スイッチ１００の第１、第２の表示部１７、１８での表示に関する操作については、モード切り替えキースイッチ（Ｍキー）２３を例えば３秒間以上押し続ける（以下、「長押し」という）ことによって、第１群の項目を表示する基本表示画面（「受光量及び／又はしきい値関連表示」モード）から、第２群の項目を表示する第２表示画面（「動作機能設定」モード）へジャンプつまり移行する。すなわち、Ｍキー２３を長押しすることを条件に、第１群の項目を表示する基本表示画面から、第２群の項目を表示する第２表示画面へ移行する。勿論、この表示群の切り替えに関し、別途、そのための専用のキー又はスイッチを用意するようにしてもよいし、光電スイッチ１００に含まれる別のスイッチに、この表示群の切り替えの機能を付加するようにしてもよい。また、２つのキー又はスイッチを同時に押すことにより、基本表示画面から第２表示画面へ移行するようにしてもよい。なお、上述したように３以上の表示群に大別したとき、例えば第１群〜第３群の３つに大別したときには、Ｍキー２３の長押しにより、第１群の表示画面から第２群の表示画面及び第２群の表示画面から第３群の表示画面へジャンプつまり移行するようにすればよい。
【００３５】
基本表示画面である「受光量及び／又はしきい値関連表示」モードに関し、「Ｓｔｄ」モードと「Ｆｕｌｌ」モードとの切り替えメニューは、これに関する項目を基本表示画面の中に設けて、この基本表示画面の中で、ユーザが「Ｓｔｄ」モード又は「Ｆｕｌｌ」モードの選択できるようにしてもよい。
【００３６】
また、第２表示画面である「動作機能設定」モードに関し、「Ｅａｓｙ」モードと「Ｐｒｏ」モードとの切り替えは、基本表示画面から第２表示画面に移行する途中で行うようにしてもよく、また、第２表示画面の中で、先ず実質的に「Ｅａｓｙ」モードで表示する項目の一連のディスプレイを完了した後で、次に、実質的に「Ｐｒｏ」モードで表示する項目へ進むか、又は第２表示画面の表示を完了して基本表示画面へ戻るか、をユーザに選択させるようにしてもよい。
【００３７】
以下に、光電スイッチ１００でのディスプレーに関する幾つかの具体例を説明する。
第１実施例（図４〜図１５）図４は、光電スイッチ１００でのディスプレーに関する第１の例の概要を示す。第１群の項目を表示する基本表示画面である「受光量及び／又はしきい値関連表示」モードから、第２群の項目を表示する第２表示画面である「動作機能設定」モードへの移行は、Ｍキー２３を継続的に３秒以上の押し続ける「長押し」により行うことができるが、その途中で、「Ｅａｓｙ」又は「Ｐｒｏ」の何れかをユーザに選択させる選択画面が表示され、この選択画面で、ユーザが「Ｅａｓｙ」又は「Ｐｒｏ」のいずれか一方を選択してこれを設定することにより、第２表示画面での表示モードが設定される。この「Ｅａｓｙ」又は「Ｐｒｏ」の選択つまりメニューの切り替えは、上下キースイッチ２１を操作することにより行うことができ、次いで、Ｍキー２３を、比較的短い時間押すことにより、選択されたモードの設定が行われると共に第２表示画面である「動作機能設定」モードに移行する。そして、この第２表示画面での表示は、選択された「Ｅａｓｙ」又は「Ｐｒｏ」モードで実行される。
【００３８】
第１群の「受光量及び／又はしきい値関連表示」モード（基本表示画面）（図５）基本表示画面での表示は、（Ａ）「受光量及び／又はしきい値関連」及び（Ｂ）「動作状態の確認」の項目を含む。
【００３９】
図５は、「Ｆｕｌｌ」モードでの基本表示画面（「受光量及び／又はしきい値関連表示」モード）のフローを示す。「受光量及び／又はしきい値関連表示」モードの初期画面である第１画面（「しきい値（数値）」＆「現在の受光量（数値）」）は、Ｍキー２３を比較的短い時間押すことによって、しきい値に関連した第２〜第５の画面に順次切り替わり、更に、Ｍキー２３を比較的短い時間押すと、動作モードなどの現在の設定状態を示す第６画面に変わり、更に、Ｍキー２３を比較的短い時間押すと、第１画面に戻る。つまり、基本表示画面の「受光量及び／又はしきい値関連表示」モードでは、Ｍキー２３を反復的に押すことによって、第１画面から、順次、第２〜第６の画面に切り替わり、再び第１画面に戻る全表示のループ又はサイクルを形成する。
【００４０】
「Ｓｔｄ」モードでの基本表示画面のフローは、図５に破線で示されている。図５から理解できるように、この「Ｓｔｄ」モードでは、Ｍキー２３を比較的短い時間押すと、初期画面である第１画面から第２画面に切り替わり、次いで、第２画面から第６画面に切り替わり、更に、Ｍキー２３を比較的短い時間押すと、第１画面に戻る。すなわち、「Ｓｔｄ」モードでは、Ｍキー２３を押すことによって、第１画面から第２画面に切り替わり、更にＭキー２３を押すことによって、第３〜５画面を経由することなく、この第３〜５画面をバイパスして第６画面に移行し、この第６画面から再び第１画面に戻る部分表示のループ又はサイクルを形成する。
【００４１】
第１画面第１画面では、第１表示部１７にしきい値が数値表示され、第２表示部１８に現在の受光量（現在値）が数値表示される。
【００４２】
第２画面第２画面では、第１表示部１７に余裕度が数値表示され、第２表示部１８に現在の受光量が数値表示される。ここに、余裕度とは、先に説明したように、しきい値に対する現在の受光量の相対値である。
【００４３】
なお、第２表示部１８の数値（余裕度）がパーセントで表示していることを明示するために、第２画面での第１表示部１７には、数値に次に、パーセントを意味する「Ｐ」の文字が付記される。
【００４４】
第３画面第３画面では、第１表示部１７に余裕度がバー形式で表示され、第２表示部１８に現在の受光量が数値表示される。第１表示部１７でのバー形式の余裕度表示に関し、図６に示すように、４つの７セグメント７１〜７４のうち、これを左右に２つに分けて、右側の２つの７セグメント７１、７２については、下部（又は上部）に位置する４本の縦セグメント７１ａ、７１ｂ、７２ａ、７２ｂを用い、左側の２つの７セグメント７３、７４については、上部（又は下部）に位置する４本の縦セグメント７３ａ、７３ｂ、７４ａ、７４ｂを用いてバー表示が行われる。
【００４５】
図６のバー表示形式を用いた場合、例えば右側の縦セグメント７３ａから始まって、余裕度が増加するに従って、順次左側に位置する縦セグメントを発光させることにより、余裕度の大小を知ることができる。また、途中からつまり中間部分の２つの７セグメント７２、７３のうち、右側の７セグメント７２の左に位置する縦セグメント７２ｂと、左側の７セグメント７３の右に位置する縦セグメント７３ａとが上下に離れていることから、この間にしきい値が存在していることをユーザは認識することになる。すなわち、右側の２つの７セグメント７１、７２の下部の縦セグメントと、左側の２つの７セグメント７３、７４の上部の縦セグメントを用いることで、余裕度を示すバーが右から左に向けて延びる途中で段差が現れ、この段差がしきい値のレベルであることをユーザに教えることができる。
【００４６】
例えば、１本の縦セグメントのレベルを５％に設定した場合、４つの７セグメント７１〜７４（４桁表示）に含まれる上部及び下部の縦セグメントは、夫々、８本が横並びに配置していることから、右から４本目の縦セグメント７２ｂと、右から５本目の縦セグメント７３ａとの間にしきい値レベルを設定すれば、このしきい値レベルを挟んで、プラス／マイナス２０％の範囲で余裕度を示すことができる。
【００４７】
余裕度のバー形式の表示に関し、左から右に向けて余裕度が大きくなるように表示してもよく、また、４つの７セグメント７１〜７４に制限されず、例えば５つの５セグメント（５桁表示）であってもよい。また、しきい値レベルから左側に位置する７セグメント７３、７４の下部に位置する縦セグメント、右側に位置する７セグメント７１、７２の上部に位置する縦セグメントを用いてバー表示を行うようにしてもよい。
【００４８】
第４画面第４画面では、一定期間内の受光量の最大値と最小値とが、夫々、第１表示部１７と第２表示部１８とに表示される。図示の第４画面において、左側の第１表示部１７の「ＰｈＬｄ」はPeak Holdの略記つまり最大値を意味するであり、一方、右側の第２表示部１８の「ｂｈＬｄ」はBottom Holdの略記つまり最小値を意味する。
【００４９】
第４画面では、先ず、第１、第２表示部１７、１８に「ＰｈＬｄ」、「ｂｈＬｄ」の文字が0.25秒間だけ表示された後、次いで、自動的に、表示が切り替わり、左側の第１表示部１７に最大値の数値が表示され、右側の第２表示部１８に最小値の数値が表示され、この数値表示を１秒間継続した後、自動的に、「ＰｈＬｄ」、「ｂｈＬｄ」の文字表示に戻り、以後、これが反復される。
【００５０】
第５画面第５画面では、上記の最大値及び最小値を余裕度に換算した数値が第１表示部１７及び第２表示部１８に表示される。ここに最大値の余裕度は、次の式で表される。最大値の余裕度＝最大値／しきい値
【００５１】
また、最小値の余裕度は、次の式で表される。最小値の余裕度＝最小値／しきい値
【００５２】
上述した第２画面と同様に、第５画面においても、先ず、第１、第２表示部１７、１８に「ＰｈＬｄ」、「ｂｈＬｄ」の文字が0.25秒間だけ表示された後、次いで、自動的に、表示が切り替わり、第１表示部１７に最大値の余裕度（％）の数値が表示され、第２表示部１８に最小値の余裕度（％）の数値が表示され、この数値表示を１秒間継続した後、自動的に、「ＰｈＬｄ」、「ｂｈＬｄ」の文字表示に戻り、以後、これが反復される。なお、第１、第２表示部１７、１８の最大値、最小値に関する余裕度の数値がパーセントで表示していることを明示するために、この第５画面での数値表示には、余裕度を示す数値の次に、パーセントを意味する「Ｐ」の文字が付記される。
【００５３】
上述した第１〜第５の全ての画面において、スイング式しきい値調整スイッチつまり上下キースイッチ２１をアップ又はダウン方向に操作することにより、設定されているしきい値を調整することができ、この上下キースイッチ２１の操作を止めた時点のしきい値が新たなしきい値として設定される。ここに、第３〜第５の画面で上下キースイッチ２１の操作を開始すると、瞬時に第１画面に自動的に切り替わり、この上下キースイッチ２１を操作している間、第１画面が維持され、キースイッチ２１の操作を止めると、元の第３〜第５の画面に戻る。
【００５４】
第６画面第６画面では、現在設定されている動作モードの表示が行われる。光電スイッチ１００の動作モードを確認するための図示の第６画面にあっては、左側の第１表示部１７の「Ｌｏｎ」は、Light-ONの略記であり、入光時に光電スイッチがＯＮすることを意味する。また、右側の第２表示部１８の表示文字「ＦＩｎＥ」が、現在設定されている動作モードを示している。
【００５５】
第６画面では、また、タイマ値の表示が行われる。図示の第６画面で、左側の第１表示部１７の「ｏｎ−ｄ」は、光電スイッチ１００が受光を検知してから、外部機器にＯＮ信号を送出するまでの遅延時間が設定されていることを意味する。つまり光電スイッチ１００が受光を検出した時から外部機器へ出力信号を送出するまで遅延時間を設定してあることを意味する。この遅延時間は、右側の第２表示部１８に数値表示される。このタイマモードの設定については後に詳しく説明する。
【００５６】
第６画面では、先の動作モードの設定状態を示す表示を１．５秒間行い、次いで、タイマ設定の有無を示す表示を１．５秒間行って、再び動作モードの設定状態を示す表示に戻り、以後、これが反復される。
【００５７】
上述した第１〜第６画面は、Ｍキー２２を比較的短い時間押すことにより、順次切り替わり、第６画面から第１画面に戻って、以後、これが反復される。
【００５８】
以上の第１〜第６画面の循環的な表示の切り変わりは、「Ｆｕｌｌ」モードが設定されているときであり、「Ｓｔｄ」モードが設定されているときには、第２画面から第６画面に移行する。つまり、「Ｓｔｄ」モードでは、第３〜第５画面への移行がキャンセルされる。
【００５９】
図７は、「受光量及び／又はしきい値関連表示」モードでの表示項目の切り替えに関するフローを示す。いま、第１、第２の表示部１７、１８の表示が、第１画面（しきい値＆現在の受光量）であるとして（ステップＳ１）、Ｍキー２３を比較的短い時間押すと、ステップＳ２からステップＳ３に移行して、第２画面（余裕度の％表示＆現在の受光量）に切り替わる。更に、この第２画面において、Ｍキー２３を押すと、ステップＳ４からステップＳ５に移行して、この受光量及び／又はしきい値関連表示に関する「Ｓｔｄ」モードが設定されているかの判定が行われ、ＹＥＳ（設定が「Ｓｔｄ」モード）であれば、ステップＳ６〜Ｓ１１の工程に進むのをキャンセルして、ステップＳ１２の動作モードの表示に移行する。他方、ステップＳ５でＮＯ（設定が「Ｆｕｌｌ」モード）であれば、ステップＳ６に移行して余裕度のバー表示などが行われる。
【００６０】
第１〜第６画面のいずれかの表示画面で、Ｍキー２２を長押しすると、先に説明した「Ｅａｓｙ」又は「Ｐｒｏ」を選択するための選択画面に切り替わる（図４）。
【００６１】
図８は、「動作機能設定」モード（図４）を「Ｅａｓｙ」モードで実行するか、又は、「Ｐｒｏ」モードで実行するかをユーザに選択させるための選択画面を示す。また、図９、図１０は、「Ｅａｓｙ」又は「Ｐｒｏ」の選択に関連したフローの概要を示す。図９は「Ｆｕｌｌ」モードに関連し、図１０は「Ｓｔｄ」モードに関連した図である。これら図９、図１０から理解できるように、「受光量及び／又はしきい値関連表示」モードでは、表示されている画面が第１〜第６のいずれの画面であっても、Ｍキー２２を長押しすることにより、「受光量及び／又はしきい値関連表示」モードを完了させて、光電スイッチ１００の動作モードの選択工程（図８）に入ることができる。
【００６２】
図１１は、「Ｅａｓｙ」又は「Ｐｒｏ」の選択に関連した詳細なフローチャートである。この図１１を参照して、基本表示画面（図５参照）における第１〜第６画面のいずれかの表示モードで、Ｍキー２２を長押しする（ステップＳ２０）と、この基本表示画面である「受光量及び／又はしきい値関連表示」モードが終了して、光電スイッチ１００の動作モードの選択工程に入り、左側の第１表示部１７に「Ｅａｓｙ」の文字が表示される（ステップＳ２１、図８）。
【００６３】
この第１表示部１７の表示は、上下キースイッチ２１を押すことにより、「Ｐｒｏ」の文字に変わる（図８参照）。ユーザは、第１表示部１７に「Ｅａｓｙ」の文字が表示されているときにＭキー２３を比較的短い時間押すことにより（ステップＳ２２）、「Ｅａｓｙ」モードを設定することができ、第２表示画面である「動作機能設定」モードに入る（ステップＳ２３）。この「Ｅａｓｙ」モードでは、図１２に示すフローで各項目が表示される。
【００６４】
逆に、第１表示部１７に「Ｐｒｏ」の文字が表示されているときにＭキー２３を比較的短い時間押すことにより（ステップＳ２２）、「Ｐｒｏ」モードを設定することができ、「動作機能設定」モードに入る（ステップＳ２４）。この「Ｐｒｏ」モードでは、図１５に示すフローで各項目が表示される。
【００６５】
「動作機能設定」モード（Ｐｒｏ）（図１５）図１５は、光電スイッチ１００が備える機能に関連した全ての項目を表示する「Ｐｒｏ」モードでの表示項目及びフローを示す。
【００６６】
Ｍキー２３を比較的短い時間押すことにより、次の順序で表示が切り替わる。
（１）動作モードの切り替え（２）タイマモードの切り替え及びタイマ値設定（３）ＡＰＣ機能のＯＮ／ＯＦＦ切り替え（４）微分モードの切り替え（５）ディスプレーモード、つまり「受光量及び／又はしきい値関連表示」モードでの表示モードの切り替え（「Ｓｔｄ」又は「Ｆｕｌｌ」）
（６）エコノミーモードの切り替え（７）表示値シフトの切り替え及びシフト量の設定
【００６７】
動作モードの種類実施例の光電スイッチ１００の動作モードは、基本モードとしてファインモードを有し、これに加えて更に５つの動作モードを有する。すなわち、付加的な動作モードとして、ターボモード、スーパーターボモード、ウルトラターボモード、ハイスピードモード、スーパーファインモードを有する。
【００６８】
（１）ファインモードファインモードは光電スイッチ１００の基本動作モードであり、検出距離つまり発光素子１２から検出物Ｔまでの距離が、例えば或るファイバセンサヘッド装着時、１００ｍｍで最適能力を発揮するように光電スイッチの発光量が設定されている。このファインモードは、例えばベアリングの刻印の有無を検出するのに適している。微小な刻印の有無による僅かな光量変化を的確に判別することができる。
【００６９】
（２）ターボモード基本動作モードよりも実質的に受光量が増大する設定になっており、検出距離が２００ｍｍのときに最適能力を発揮するように発光量が設定されている。このターボモードは、例えば台紙上のシールの検出するのに適している。
【００７０】
（３）スーパーターボモード上記のターボモードよりも更に実質的に受光量が増大する設定になっており、検出距離が３００ｍｍのときに最適能力を発揮するように発光量が設定されている。このスーパーターボモードは、例えば発光素子又は発光素子からの光を導くファイバ及び／又は受光素子又は受光素子に光を導くファイバと検出物Ｔとを離間させた状態で検出物Ｔの有無を検出するのに適している。
【００７１】
（４）ウルトラターボモード上記のスーパーターボモードよりも更に実質的に受光量が増大する設定になっており、検出距離が４００ｍｍのときに最適能力を発揮するように発光量が設定されている。このウルトラターボモードは、例えば、スーパーターボよりも遠く離れた検出物Ｔの有無を検出する、或いは、埃、汚れなどの多い悪環境下で検出物Ｔを検出する際に用いるのに適している。
【００７２】
（５）ハイスピードモードこのハイスピードモードは、上述した基本動作モードよりも応答速度を高める設定になっており、比較的早く通過する検出物Ｔを検出するのに適している。
【００７３】
（６）スーパーファインモードこのスーパーファインモードは、上述した基本動作モードとは異なり、光電スイッチの投光と受光の間隔を近づけても光量が飽和しないモードであり、微小物を透過型の光電スイッチで検出するのに適している。
【００７４】
図１５は、「Ｐｒｏ」モードにおける第１番目の表示項目である「動作モード切り替え」のメニューを示しており、上下キースイッチ２１をアップ操作することにより、第１表示部１７に、順次右方向に表示されるメニューの変遷を示す。上下キースイッチ２１をダウン操作することにより第１表示部１７の表示は逆方向（左方向）に順次変わる。
【００７５】
ここに、「ＦＩｎＥ」は基本動作モードであるファインモードを意味する。「ｔｕｒｂ」はターボモードを意味する。「ＳｕＰｒ」はスーパーターボモードを意味する。「ＵＬｔｒ」はウルトラターボモードを意味する。「ｈＳＰｄ」はハイスピードモードを意味する。「ＳＦＩｎ」はスーパーファインモードを意味する。ユーザは、所望の動作モードが表示されたら、Ｍキー２２を比較的短い時間押すことにより、これを設定して、第２番目の「タイマ」モード切り替え表示項目に移ることができる。ここで設定された動作モードは、基本表示画面の中の第６画面で表示される（図５）。
【００７６】
「Ｅａｓｙ」モード（図１２）図１２は、「Ｅａｓｙ」モードでの表示項目を示す。この「Ｅａｓｙ」モードでは、光電スイッチ１００の基本的な設定である上述の（１）動作モードの切り替え及び（２）タイマモードの切り替え及びタイマ値設定に限定して表示され、Ｍキー２３を押すことにより、「動作モードの切り替え」表示を「タイマモードの切り替え」表示に変えることができ、更に、Ｍキー２３を押すと、「タイマモードの切り替え」表示から、基本表示画面である「受光量及び／又はしきい値関連表示」モードに戻る。すなわち、「タイマモードの切り替え」表示のときに、Ｍキー２３を押すと、「動作機能設定」モードを脱出して、先に説明した基本表示画面である「受光量及び／又はしきい値関連表示」モードに戻る。
【００７７】
この「Ｅａｓｙ」モードでは、「動作モードの切り替え」表示に関し、ユーザが選択可能な動作モードつまり選択可能なメニューが（１）ファインモード（「ＦＩｎＥ」）と（２）ターボモード（「ｔｕｒｂ」）と（３）スーパーターボモード（「ＳｕＰｒ」）の３種類の動作モードに制限されており、この中からユーザが上下キー２１を操作して選択した後にＭキー２３を押すことにより所望の動作モードを設定することができる。
【００７８】
この「Ｅａｓｙ」では、上述したように、一般的に使われる３つの動作モードに制限してあるが、例えば、前回「Ｐｒｏ」モードで、「Ｅａｓｙ」モードでは含まれていないスーパーファインモード（「ＳＦＩｎ」）が選択された後で、この「Ｅａｓｙ」モードに切り替えられた場合には、「動作モードの切り替え」のメニュー表示の中に［ＳＦＩｎ］を加えて、この「Ｅａｓｙ」モードでも特別に現在設定されている動作モードを表示するのが好ましい。この場合、特別に表示する「ＳＦＩｎ」の文字を「動作モードの切り替え」表示の先頭画面に設定して、「動作モードの切り替え」表示に入ると同時に、現在設定されているスーパーファインモードをユーザに認識させるのが最も好ましい。そして、ユーザが、「動作モードの切り替え」のメニュー表示の中から、この本来「Ｅａｓｙ」モードで選択可能な例えばスーパーターボモード（「ＳｕＰｒ」）を選択した場合には、次回に「Ｅａｓｙ」モードに入ったときに、スーパーファインモード（「ＳＦＩｎ」）がメニューから消失させるのがよい。
【００７９】
現在設定されている動作モードの表示に関し、これが例えばスーパーターボモード（「ｔｕｒｂ」）のように本来的に「Ｅａｓｙ」モードで選択可能な動作モードであるような場合であっても、「動作モードの切り替え」表示に入ると同時に、現在設定されている動作モードを先頭画面で表示するのが好ましい。これにより、ユーザは、先頭画面の表示を見ることで、現在設定されている動作モードを確認することができる。同様のことが選択メニューを備えた表示項目にも言える。すなわち、現在設定されている事項を先頭画面つまり初期画面に表示させることで、ユーザは、この初期画面を見ることで、現在設定されている内容を確認することができる。
【００８０】
図１３は、「Ｅａｓｙ」モードでの「動作モードの切り替え」表示に関するフローチャートである。基本表示画面である「受光量及び／又はしきい値関連表示」モードでＭキー２３の長押し（図９、図１０）があったことを検出すると（図１３のステップＳ３１）、「Ｅａｓｙ」又は「Ｐｒｏ」の選択工程（図８）に入る。この選択工程で、ユーザが上下キー２１を操作して「Ｐｒｏ」を選択した後でＭキー２３を押すと、ステップＳ３２からステップＳ３３に移行して、第２表示画面である「動作機能設定」モードは「Ｐｒｏ」モードで実行される（図１５）。
【００８１】
他方、図８の選択画面で、ユーザが上下キー２１を操作して「Ｅａｓｙ」を選択した後でＭキー２３を押すと、ステップＳ３２からステップＳ３４に進んで、現在設定されている動作モードの判定が行われる。
【００８２】
先に説明したように、「Ｅａｓｙ」モードの中で設定可能な動作モードは、ファインモード（「ＦＩｎＥ」）、ターボモード（「ｔｕｒｂ」）、スーパーターボモード（「ＳｕＰｒ」」の三種類である。
【００８３】
ステップＳ３４で、現在設定されている動作モードが、「Ｅａｓｙ」モードで設定可能な三種類の動作モードであると判定したときには、ステップＳ３５に進んで、第２表示画面である「動作機能設定」モードを「Ｅａｓｙ」モードで実行すると共に、「動作モードの切り替え」の初期画面に現在設定されている動作モードを表示する。
【００８４】
先のステップＳ３４で、現在設定されている動作モードが、「Ｅａｓｙ」モードで設定可能な三種類の動作モードではなく「Ｐｒｏ」モードだけで設定可能な動作モードであると判定したときには、ステップＳ３６に進んで、第２表示画面である「動作機能設定」モードを「Ｅａｓｙ」モードで実行すると共に、「動作モードの切り替え」の初期画面に現在設定されている動作モードを意味する文字（例えば、「ＳＦＩｎ」）を表示する。
【００８５】
図１４は、「Ｅａｓｙ」モードでの項目表示及び設定に関連した内容を説明するためのフローチャートである。先の図１３のフローチャートで説明した工程が完了すると、図１４のステップＳ４１で「Ｅａｓｙ」モードで「動作機能設定」モードが実行される（図１２）。「Ｅａｓｙ」モードの初期画面では、「動作モード切り替え」に関する項目が表示される。動作モードの切り替えが必要で有れば、所望の動作モードを選択してＭキー２３を押すと、ステップＳ４２からステップＳ４３に移行して、ディスプレーは「タイマモード切り替え及びタイマ値設定」に関する項目に切り替わる（図１２）。
【００８６】
「タイマモード切り替え及びタイマ値設定」での表示について説明すると、図１２の「ｔｏＦＦ」は、タイマモード「オフ」を意味する。したがって、この「ｔｏＦＦ」を選択すると上述したタイマモードに関する制御はキャンセルされ、光電スイッチ１００が検出物Ｔを検出すると直ちに検出信号を出力する。Ｍキー２３を押すと、次の表示に切り替わる。
【００８７】
左側の第１表示部１７の「ｏｎ−ｄ」は、光電スイッチ１００がオン信号を外部機器に送出するときの遅延時間に関することを表示するものであり、右側の数字「４０」は、設定されている遅延時間（秒）を表示している。
【００８８】
図１２において、文字「ｏｎ−ｄ」が楕円で囲まれているが、この楕円は、「ｏｎ−ｄ」の文字が点滅表示されることを意味しており、上下キー２１をアップ又はダウン操作することにより他の表示に切り替わる又は数値を変更できることを視覚的に主張している。このことは、図１２に限らず他の図面でも同様であり、これら図面において、第１又は第２の表示部１７、１８に楕円が付加されているものは、点滅表示されることを意味すると共に上下キー２１をアップ又はダウン操作することにより他の表示に切り替わる又は数値を変更できることを視覚的に主張している。なお、このような表示形式は、点滅表示に限られず、通常とは異なる色で表示するなど、ユーザが目で識別可能な方法で、この種の主張を行わせるようにしてもよい。
【００８９】
「ｏｎ−ｄ」が点滅表示されている状態で、上下キー２１をアップ操作すると、第１表示部１７は「ｏｆｆｄ」の文字に変わり、また、「Ｓｈｏｔ」の文字に変わり、再び「ｏｎ−ｄ」に変わる。
【００９０】
「ｏｆｆｄ」は、光電スイッチ１００がオフ信号を外部機器に送出するときの遅延時間に関することを表示するものであり、図示を省略したが、第２表示部１８には、遅延時間に相当する数字が表示される。「Ｓｈｏｔ」は、上述したワンショット制御に関することを表示するものであり、図示を省略したが、第２表示部１８には、遅延時間に相当する数字が表示される。
【００９１】
例えば、オフ信号の出力を遅延させるのであれば、図１２１から理解できるように、「ｏｆｆｄ」が点滅表示されている状態でＭキー２３を押すことにより（図１４のステップＳ４４）、第２表示部１８の数字が点滅表示に切り替わる（ステップＳ４５）。この状態で、上下キー２１を操作することにより、表示されている数字を増減することができ（ステップＳ４６）、所望の数字が表示されたら上下キー２１の操作を止めて、Ｍキー２３を押すことにより（ステップＳ４７）、表示されている数字に対応する秒数だけ、光電スイッチ１００のオフ信号の出力を遅延させることができる。オフ信号の遅延やワンショット信号の遅延についても、同様の操作で設定することができる。
【００９２】
上記のようにしてタイマモードの切り替え又は設定がＭキー２３を押すことで完了する（ステップＳ４８）と、「Ｅａｓｙ」モードによる「動作機能設定」モードが完了して、基本表示画面（図５）に戻る。
【００９３】
図１５は、「Ｐｒｏ」モードでの動作機能設定に関する表示の一覧を示す。「Ｐｒｏ」モードでは、動作モード切り替えから、Ｍキー２３を押すことにより、タイマモード切り替え、ＡＰＣ切り替え、微分モード切り替え、基本画面である「受光量及び／又はしきい値関連表示」モードでの表示モード切り替え、エコモード切り替え、表示値シフト切り替えの各項目に切り替わり、更に、Ｍキー２３を押すことにより、この「動作機能設定」モードが終了して、基本表示画面である「受光量及び／又はしきい値関連表示」モード（図５）に戻る。
【００９４】
この「Ｐｒｏ」モードで表示される動作モード切り替えやタイマモード切り替えなどの各表示項目におけるメニューの選択及び数値の増減を、上下キー２１を操作することにより行うのは「Ｅａｓｙ」モードと同じである。
【００９５】
この「Ｐｒｏ」モードの最後の表示項目である表示値シフト切り替えについて説明すると、第１表示部１７の「ＳｈFｔ」の文字は、「shift（シフト）」の略記であり、現在、表示値シフト切り替えモードにあることを示している。第２表示部１８の「ｏＦＦ」は、表示値シフト切り替え制御のオフを意味し、Ｍキー２３を押すと、表示値シフト切り替え制御オフが設定されて、受光量に関する表示値は実際の受光量に対応した数値が基本表示画面である「受光量及び／又はしきい値関連表示」モードで表示される（図５参照）。
【００９６】
他方、上下キー２１を操作すると、右側の第２表示部１８が「ｏｎ」の文字に切り替わる。この「ｏｎ」は、表示値シフト切り替え制御のオンを意味し、この状態で、Ｍキー２３を押すと、右側の第２表示部１８に、シフト後の受光量が数値表示される（図示の例では「１２２４」）。他方、第１表示部１７は、シフト量（図示の例では「１０」）が１秒間表示され、ついで、「ＳｈＦｔ」の文字が０．２５秒間表示され、以後、これが繰り返される。
【００９７】
ユーザは、左側の第１表示部１７に反復的に表示される「ＳｈＦｔ」の文字とシフト量の数値とを見つつ、右側の表示部１８に表示されるシフト後の受光量の数値を見て、適当なシフト量を設定することができる。上下キー２１をアップ操作することによりシフト量の数値を増大することができ、その結果は、右側の第２表示部１８に直ちに反映される。逆に、上下キー２１をダウン操作することによりシフト量の数値を減少することができ、その結果は、右側の第２表示部１８に直ちに反映される。
【００９８】
以上、第１実施例を説明したが、例えば、「Ｅａｓｙ」モードと「Ｐｒｏ」モードとの選択画面（図８の第１表示部１７）や動作モード切り替え画面（図１２、図１５）、ディスプレー表示モード切り替え画面（図１５）など幾つかの選択肢から一つを選択してこれを設定するまでの表示に関し、前回選択した事項を先頭画面つまり初期画面として表示するようにするのが好ましい。例えば、図８において、前回「Ｐｒｏ」モードを選択した場合には、次に、動作モード設定モードに入ったら、「Ｐｒｏ」の文字が最初に表示されるようにするのがよい。
【００９９】
上記の実施例によれば、通常の使用では、「Ｅａｓｙ」モードに含まれる２つの項目、つまり、（１）動作モード切り替え及び（２）タイマモード切り替え及びタイマ値設定で十分であり、この２つの項目に関する設定で光電スイッチ１００の基本的な動作を十分に確保することができる。したがって、通常の使用態様であれば、「Ｅａｓｙ」モードを選択することで、不必要な項目の表示無しに設定操作を完了することができる。このことは、部分的な表示を行う「Ｓｔｄ」モードと全ての表示を行う「Ｆｕｌｌ」モードとを選択可能にした、基本表示画面である「受光量及び／又はしきい値関連表示」モードについても言える。
【０１００】
つまり、「Ｅａｓｙ」モードを選択することで、表示項目を必要最小限に絞り込むことができ、これにより設定操作に伴うＭキー２３の入力回数を大幅に減らすことができる。換言すれば、通常の使用態様では初期設定で十分な項目までもが表示され、誤って設定を変えてしまう虞が無い。また、仮に「Ｅａｓｙ」モードの表示項目の中で、誤った設定を行ったとしても、この誤設定の項目に戻るのに必要なＭキー２３の入力回数を大幅に減じることができ、再設定のための煩雑さを解消することができる。
【０１０１】
高度な設定を行いたいユーザは、「Ｐｒｏ」モードを選択して自らにとって合理的なパラメータを設定すればよい。このようなユーザにとっては、光電スイッチ１００の全ての機能の設定が変更可能又は切り替え可能であることが重要であり、光電スイッチ１００の取り扱いにも精通していることが多い。したがって、誤った設定を行ってしまう虞は小さい。むしろ、「Ｐｒｏ」という文字表示を見せて、これを選択させることで、これ以降の操作に注意を促すことができるため、マンマシンインターフェースとしては好ましいものとなる。
【０１０２】
光電スイッチ１００が、前回「Ｐｒｏ」モードを選択した場合には、次に、動作モード設定モードに入ったら「Ｐｒｏ」の文字が最初に表示されるようにする機能を含む場合には、この「Ｐｒｏ」の文字を呼び出すために上下キー２１を操作する必要がないため、Ｍキー２３を押すだけで「Ｐｒｏ」モードに入ることができるため、例えば、「Ｐｒｏ」モードで表示される項目に誤設定をしてしまい、再度「Ｐｒｏ」モードに入らなければならない場合に、「Ｅａｓｙ」モードとの選択工程を設けたことによりキー又はスイッチ操作が煩雑になってしまう、という問題の発生を回避することができる。
【０１０３】
第２実施例（図１６〜図２１）図１６は、光電スイッチ１００でのディスプレーに関する第２の例の概要を示す。この第２の実施例では、上述の第１実施例とは異なり、基本表示画面である「受光量及び／又はしきい値関連表示」モードの中に、ディスプレーに関する「Ｓｔｄ」モード又は「Ｆｕｌｌ」モードの選択工程を含む。
【０１０４】
図１７は、全表示を行う「Ｆｕｌｌ」モードでの受光量及び／又はしきい値関連表示のフローを示す。図１８は、部分表示を行う「Ｓｔｄ」モードでの受光量及び／又はしきい値関連表示のフローを示す。この基本表示画面での第１画面（しきい値の数値表示：現在の受光量（現在値））から、現在設定されている動作モードの表示などを行う第６画面は、上述した第１実施例（図５）と同様である。
【０１０５】
また、第１実施例と同様に、この第２実施例にあっても、第１〜第５の全ての画面で、スイング式しきい値調整スイッチつまり上下キースイッチ２１を操作することにより、設定されているしきい値を調整することができ、この上下キースイッチ２１の操作を止めた時点のしきい値が新たなしきい値として設定される。
【０１０６】
また、上述した第１実施例と同様に、この第２実施例にあっても、第３〜第５画面でキースイッチ２１の操作を開始すると、瞬時に第１画面に自動的に切り替わり、このキースイッチ２１を操作している間、第１画面が維持され、キースイッチ２１の操作を止めると、元の第３〜第５画面に戻る。
【０１０７】
この第２実施例にあっては、図１９から理解できるように、動作状態を表示する第６画面からＭキー２３を比較的短い時間押すと、第７画面に移り、左側の第１表示部１７に「ｄｉＳＰ」の文字が表示され、右側の第２表示部１８に「Ｓｔｄ」などの文字が表示される。
【０１０８】
「ｄｉＳＰ」の文字は、先に説明したように、「display」の略であり、しきい値値関連表示モードでの表示方法を設定する意味を有する。この第７画面で、ユーザが選択可能なメニューは３つである。すなわち、第７画面には、（１）この「受光量及び／又はしきい値関連表示」のうち制限された項目を表示する「Ｓｔｄ」モード選択メニューと（２）全ての項目を表示する「Ｆｕｌｌ」モード選択メニューとを含み、更に、（３）ディスプレー機能設定モード（図２０）への移行（表示「Ｆｕｎｃ」）を含む。
【０１０９】
この第７画面では、左側の第１表示部１７に「ｄｉＳＰ」の文字が表示される。他方、右側の第１表示部１８は、上下キー２１をアップ操作することにより、「Ｓｔｄ」から順に「Ｆｕｌｌ」、「Ｆｕｎｃ」に変化し、再び、「Ｓｔｄ」に戻る。逆に、上下キー２１をダウン操作することにより、第２表示部１７の表示内容が、「Ｆｕｎｃ」から「Ｆｕｌｌ」へ、また、「Ｆｕｌｌ」から「Ｓｔｄ」へと逆に変化する。
【０１１０】
右側の第２表示部１８に「Ｓｔｄ」の文字が表示されているときにＭキー２３を比較的短い時間押すことにより「Ｓｔｄ」モードを設定することができる。これにより、「受光量及び／又はしきい値関連表示」モードでのディスプレーは、「Ｓｔｄ」モード（図１８、図１９の左側のループ）に切り替わる。
【０１１１】
右側の第２表示部１８に「Ｆｕｌｌ」の文字が表示されているときにＭキー２３を比較的短い時間押すことにより「Ｆｕｌｌ」モードを設定することができる。これにより、「受光量及び／又はしきい値関連表示」モードでのディスプレーは、全ての項目を表示する「Ｆｕｌｌ」モード（図１７、図１９の全体）になる。
【０１１２】
右側の第２表示部１８に「Ｆｕｎｃ」の文字が表示されているときにＭキー２３を押すことにより、「受光量及び／又はしきい値関連表示」モードから離れて、図２１に示す「ディスプレー機能設定」モードに移る。ここに、「ディスプレー機能設定」モードへ移行するためのＭキー２３の押し動作は、比較的短い時間であってもよく、長押しであってもよい。
【０１１３】
この「ディスプレー機能設定」モードは、図２１から理解できるように、（１）エコモード切り替えと、（２）表示値シフト切り替えの２つの項目を有し、Ｍキー２３を押すと「エコモード切り替え」から「表示値シフト切り替え」に移り、「表示値シフト切り替え」でＭキー２３を押すと「受光量及び／又はしきい値関連表示」モードに戻る。
【０１１４】
第１実施例で「Ｐｒｏ」モードに含まれていた「ディスプレー」が、この第２実施例にあっては「受光量及び／又はしきい値関連表示」モードに加えられているので、第２実施例の「Ｐｒｏ」モードから「ディスプレー」項目が省かれている。同様に、第１実施例で「Ｐｒｏ」モードに含まれていた「エコモード切り替え」及び「表示値シフト切り替え」が、この第２実施例にあっては、「受光量及び／又はしきい値関連表示」モード及び「動作機能」モードとは別に、独立した「ディスプレー機能設定」モードで行うようになっていることから、第２実施例の「Ｐｒｏ」モードから「エコモード切り替え」及び「表示値シフト切り替え」項目が省かれている。
【０１１５】
この第２実施例によれば、「Ｐｒｏ」モードから「ディスプレー」に関する項目を省いて、この「ディスプレー」に関する項目を「Ｐｒｏ」モードから切り離したため、「Ｐｒｏ」モードでの表示項目を削減することができ、「Ｐｒｏ」モードでのキー又はスイッチの操作の煩雑さを低減することができる。また、「Ｐｒｏ」モードを選択する程の光電スイッチ１００に関する知識が無い者であっても、ディスプレーに関する設定変更を行いたいときには、「Ｐｒｏ」モードから独立した別のループである「ディスプレー」モードに入ることで、詳細な動作機能設定に関する「Ｐｒｏ」モードに入ることなく、これを行うことができる。
【０１１６】
第３実施例（図２２〜図２５）この第３実施例では、上述した第１実施例及び第２実施例との比較で、第２表示画面である「動作機能設定」モードにおいて、「Ｅａｓｙ」モード又は「Ｐｒｏ」モードという切り替え可能な表示群を有していない。この第３実施例にあっては、「動作機能設定」モードにおいて、先ず、使用頻度の多い表示項目を表示し、次いで、比較的使用頻度の少ない表示項目の表示へ進むか、それとも、基本表示画面である「受光量及び／又はしきい値関連表示」モードに戻るかをユーザが選択する工程を含んでいる。以下の第３実施例の説明において、基本表示画面である「受光量及び／又はしきい値関連表示」モードに関しては、上述した第１実施例及び第２実施例と同様であるので、この「受光量及び／又はしきい値関連表示」モードに関する説明は省略する。
【０１１７】
図２２、図２４は、第３実施例での表示フローの概要を示す。例えば図２３の「Ｓｔｄ」モードで、基本表示画面である「受光量及び／又はしきい値関連表示」モードの何れかの項目を表示しているときにＭキー２３を長押しすると、図２２から理解できるように、第２表示画面である「動作機能設定」モードに切り替わる。この「動作機能設定」モードでは、先ず、単数又は複数の使用頻度の高い項目（前述の「Ｅａｓｙ」モードと同じ項目）を順次表示するようになっている（Ｍキー２３を押すと項目が順次切り替わる）。この使用頻度の高い例えば２つの項目の表示が完了すると、第３番目の表示項目に移り、この「動作機能設定」に関連する更に他の項目の表示を選択するか、それとも基本表示画面（「受光量及び／又はしきい値関連表示」モード）に戻るかの選択メニューが表示される。
【０１１８】
ユーザは、更に詳細な項目まで設定することを望むのであれば、「進む又は入る（Ｅｎｔ）」を選択することにより、更なる項目の表示が行われる。他方、これ以上の設定項目の表示が不要であれば、「進まない（ＰＡＳＳ）」を選択することで、この第２表示画面である「動作機能設定」モードを完了し、これに伴い、第１表示部１７及び第２表示部１８の表示は、基本表示画面（「受光量及び／又はしきい値関連表示」モード）に戻る。
【０１１９】
図２４は、第２表示画面である「動作機能設定」のフローを示す。また、図２５は、その詳細なフローを示す。Ｍキー２３の長押しにより基本表示画面（「受光量及び／又はしきい値関連表示」モード）から第２表示画面（「動作機能設定」モード）に移行すると、先ず、動作モード切り替えに関する表示が行われる（ステップＳ５１）。この動作モード切り替えに関しては、先に説明したように、ユーザが上下キー２１を操作することにより６つのメニューを順次表示させて、所望の動作モードが第１表示部１７に表示されたときにＭキー２１を押すことにより、この表示されている動作モードを設定することができる。つまり、この第３実施例の第２表示画面では、例えば第１実施例の「Ｐｒｏ」モードと同様に、動作モード切り替えメニューは６種類用意されている。
【０１２０】
Ｍキー２１の押し動作に伴い、表示部１７及び１８の表示は、第２番目のタイマモード切り替え表示に切り替わる（ステップＳ５２）。このタイマモード切り替え表示に関し、先に第１実施例で説明したように、ユーザが上下キー２１を使ってメニューや数値を変化させて、所望のメニューや数値が表示されたときにＭキー２１を押すことにより、この表示されている内容でタイマに関する設定を行うことができる。
【０１２１】
Ｍキー２１の操作によりタイマの設定が完了すると、第３番目のファンクションモード切り替え画面つまり更に進むか否かを選択するための画面表示に切り替わる（ステップＳ５３）。この表示は、図２５に示すように、左側の第１表示部１７に「Ｆｕｎｃ」の文字が表示され、また、右側の第２表示部１８に「ＰＡＳＳ」の文字が表示される。この「ＰＡＳＳ」の文字は、動作機能設定モードから脱出することを意味する。第２表示部１８の「ＰＡＳＳ」の文字は、上下キー２１を操作すると、「Ｅｎｔ」の文字に切り替わる。この「Ｅｎｔ」の文字は、動作機能設定モードを更に続けるという意味である。
【０１２２】
第２表示部１８に「ＰＡＳＳ」が表示されているときに、Ｍキー２３を押すと、第２表示画面（「動作機能設定」モード）が終了し、基本表示画面（「受光量及び／又はしきい値関連表示」モード）に戻る。他方、第１表示部１８に「Ｅｎｔ」が表示されているときに、Ｍキー２３を押すと、「動作機能設定」モードが続行され、先の実施例で「Ｐｒｏ」モードとして説明した例えばＡＰＣ切り替えなどの詳細な動作機能設定項目の表示が行われる。
【０１２３】
この第３実施例によれば、「動作機能設定」モードに関し、光電スイッチ１００の基本動作に関する項目又は使用頻度の高い項目を最初に表示して、特別な設定項目の表示に入る前に、「Ｆｕｎｃ」表示により注意を促すことから、基本動作の設定だけで足りるユーザであれば、この時点で「動作機能設定」モードから脱出することで、それ以降の煩雑なキー又はスイッチ操作を省くことができる。
【０１２４】
第４実施例（図２６〜図３１）第４実施例での表示にあっては、基本表示画面である「受光量及び／又はしきい値関連表示」モードと、第２表示画面である「動作機能設定」モードと、第３表示画面である「ディスプレー関係設定」モードとに大別され、「受光量及び／又はしきい値関連表示」モードでＭキー２３を長押しすると、例示としての「Ｓｔｄ」モードの「受光量及び／又はしきい値関連表示」モードを示す図２７及び図２６から理解できるように、第２表示画面である「動作機能設定」と第３表示画面である「ディスプレー関係設定」との選択工程に入る。
【０１２５】
ここに、「動作機能設定」モードに関し、先に説明した「Ｅａｓｙ」と「Ｐｒｏ」の選択肢を有する。したがって、ユーザは、「受光量及び／又はしきい値関連表示」モードでＭキー２３を長押すると、「Ｅａｓｙ」、「Ｐｒｏ」、「ディスプレー関係設定」の中から任意のメニューを選択することができる。
【０１２６】
図２８は、基本表示画面である「受光量及び／又はしきい値関連表示」モードでＭキー２３を長押した後で最初に表示部１７、１８に現れる表示を示す。第１表示部１７には、先ず「Ｅａｓｙ」の文字が現れ、上下キー２１をアップ操作することで第１表示部１７に「Ｐｒｏ」の文字が現れ、更に、上下キー２１をアップ操作することで第１表示部１７に「ｄｉＳＰ」の文字が現れる。この「ｄｉＳＰ」の文字は、「display」の略であり、「ディスプレー関係設定」モードを意味する。更に、上下キー２１をアップ操作することで第１表示部１７は、「Ｅａｓｙ」の文字表示に戻る。逆に、上下キー２１をダウン操作すると、上述した順とは逆方向に表示内容が変化する。
【０１２７】
第１表示部１７に「Ｅａｓｙ」の文字が表示されているときにＭキー２３を押すと、第２表示画面である「動作機能設定」モードの表示として「Ｅａｓｙ」モードが選択される（図２９）。この第４実施例での「Ｅａｓｙ」モードは、先に第１実施例で説明したのと実質的に同じであるので、図１１の説明を参照されたい。
【０１２８】
第１表示部１７に「Ｐｒｏ」の文字が表示されているときにＭキー２３を押すと、第２表示画面である「動作機能設定」モードの表示として「Ｐｒｏ」モードが選択される（図２９）。この第４実施例での「Ｐｒｏ」モードは、先に第２実施例で説明したのと実質的に同じであるので、図２０の説明を参照されたい。
【０１２９】
第１表示部１７に「ｄｉＳＰ」の文字が表示されているときにＭキー２３を押すと、図３１に示す第３表示画面である「ディスプレー関係設定」モードに移る。この「ディスプレー関係設定」モードでは、Ｍキー２３を押すことで、（１）基本表示画面である「受光量及び／又はしきい値関連表示」モードにおける「Ｓｔｄ」又は「Ｆｕｌｌ」の表示モードの選択、（２）エコモード切り替え、（３）表示値シフト切り替えの３つの項目を表示し、更に、Ｍキー２３を押すことで、基本表示画面である「受光量及び／又はしきい値関連表示」モードに戻る。
【０１３０】
以上、第１、第２の２つの表示部１７、１８を備えたデュアルモニタ式光電スイッチ１００を例に説明した。このデュアルモニタ式光電スイッチ１００において、「受光量及び／又はしきい値関連表示」モードにおいて、如上のように、第２表示メニュー及び第４表示メニューで、余裕度と現在の受光量とを同時に表示するようにしてあるため、これらの表示を見ながらしきい値の調整を行うことができる。ユーザは、検出環境に応じてしきい値を微調整するときに、例えば受光量が極端に小さいことを視認することで、光電スイッチが検出スイッチとして機能するのに性能限界に近い状態にあることを直ちに知ることができる。したがって、このしきい値の調整作業を行っている最中に、検出環境の見直し、その改善を直ちに行うことができる。したがって、従来では、何回も試行錯誤して始めてしきい値の最適化が可能であったが、実施例の光電スイッチ１０によれば、効率良く検出環境の改善としきい値の最適化を実現することができる。
【０１３１】
第１、第２の表示部１７、１８の少なくともいずれか一方を２色ＬＥＤで構成したときには、上述した光電スイッチが検出スイッチとして機能するのに性能限界に近い状態にある事実を、第１、第２の表示部１７、１８の少なくともいずれか一方を通常とは異なる色で表示することによりユーザに積極的に教えるようにしてもよい。
【０１３２】
また、「受光量及び／又はしきい値関連表示」モードにおいて、第５、第６表示メニューで、受光量の最大値と最小値とを同時に表示することから、検出物が高速に動く検出環境であっても、検出物の有無を検出するのに、受光量の差が十分であるか否か視認することができる。
【０１３３】
上記の第１実施例において、Ｍキー２３を長押しすることで、設定変更に関する「Ｅａｓｙ」又は「Ｐｒｏモード」との選択画面が表示される。ユーザは、光電スイッチの基本的な設定だけを変更又はチェックすればよいのであれば、「Ｅａｓｙ」モードを選択すればよい。これにより、必要最小限の設定つまり光電スイッチの基本的な設定であり使用頻度の高い項目に絞り込んで表示されるため、数多くの機能を備えた光電スイッチであったとしても、全ての項目が次々と画面に現れて、これをジャンプするのに度重なる煩わしいキー操作を不要にすることができる。また、この不要な表示をジャンプするつもでキー操作したはずが、誤った操作であったときの不要な設定変更に煩わされることもない。
【０１３４】
その一方で光電スイッチに含まれている数多く機能を使うユーザであれば、「Ｐｒｏ」モードを選択することで、全機能に関する設定の変更を行うことができ、多機能化した光電スイッチを検出環境に応じて適切に使用することができる。
【０１３５】
同じように、「受光量及び／又はしきい値関連表示」モードに関しても、使用頻度の高い幾つかの項目だけを循環して表示する「Ｓｔｄ」（スタンダード）表示モードと、全ての項目を循環して表示する全表示モードとに切り替えることができるため、ユーザが例えば数値だけを見て修正するのであれば、「Ｓｔｄ」表示モードを設定することで、循環して表示される項目の数を絞り込むことができ、全ての項目が次々と画面に現れて、これをジャンプするのに度重なる煩わしいキー操作を不要にすることができる。
【０１３６】
第２実施例によれば、ディスプレイ機能に関する設定項目を、「動作機能設定」モードから切り離し、「動作機能設定」モードに入ることなく、基本画面である「受光量及び／又はしきい値関連表示」モードから直接的に「ディスプレイ機能設定」モード（図２６）に入ることができる。換言すれば、「動作機能設定」モードからディスプレイ機能設定に関する項目を取り除いたため、「動作機能設定」モードでの表示項目の数を減少させることができ、Ｍキー２３の操作回数を少なくすることができる。
【０１３７】
まだ、第１実施例では、例えば、ディスプレイ表示に関する設定だけを変更したいユーザであっても、表示項目の多い「Ｐｒｏ」モードに入り込んで数多くのキー操作を繰り返すことで始めてディスプレイ表示の設定を変更できたのであるが、基本画面である「受光量及び／又はしきい値関連表示」モードの中で、ディスプレイ表示に関する設定を変更することができるという利点がある。
【０１３８】
先の第１、第２実施例では、ユーザの特質によって「Ｅａｓｙ」モードと「Ｐｒｏ」モードとを用意し、これをユーザに選択させるようにしたが、この第３実施例では、設定変更の必要性に応じてユーザが自らの意志で機能設定メニューの中に入り込むか、これをキャンセルするかを選択させるようにしてある。したがって、通常の使用状態では、「動作機能設定」に関する項目で、殆どの項目を経由することなく使用することができる。勿論、多岐にわたって設定が必要なときには、詳細な動作機能設定に関する項目群の中に入り込むために、「Ｅｎｔ」（図２５）を選択すればよい。
【０１３９】
第５実施例（図３２〜図３５）上述した第１〜第４実施例は、全て、２つの表示部つまり２つの画面を備えたデュアルモニタ式光電スイッチを例に説明した。光電スイッチの中は、一つの表示部つまり単一画面しか有していないものも多い。本発明は、このシングルモニタ式光電スイッチに対しても適用可能であり、その一例をこの第５実施例として説明する。この第５実施例は、基本的には、第１実施例と実質的に同じコンセプトに基くものである。しかし、シングルモニタ式光電スイッチに関する本発明の適用は、この第５実施例に限定されるものではなく、上述した他の実施例と実質的に同じコンセプトに基づくものであってもよい。
【０１４０】
第５実施例においても、第１実施例及び第２実施例と同様に、「受光量及び／又はしきい値関連表示」モード（図３２）と、「動作機能設定」モード（図３３、図３４）との間に、「Ｅａｓｙ」モード（図３３）又は「Ｐｒｏ」モード（図３５）を一般的に選択する工程（図３２）を含む。図３１〜図３４は、各モードでシングルモニタ式光電スイッチの表示画面を示すものであるが、先のデュアル式モニタの第１、第２表示部１７、１８と区別するために、シングルモニタ式光電スイッチの表示画面を参照符号６０で示してある。
【０１４１】
また、第１実施例などと同様に、この第５実施例においても、「受光量及び／又はしきい値関連表示」モード（図３１）では、「Ｓｔｄ」モードと「Ｆｕｌｌ」モードとに切り替えることができ、この設定は、「Ｐｒｏ」モードの「ＤｉＳＰ」（基本表示画面の表示モード切り替え）項目で行うことができる（図３５）。
【０１４２】
当業者であれば、第５実施例の説明から理解できるように、単一画面を備えた光電スイッチにおいて、上述した第１〜第４実施例の第１、第２の表示部１７、１８を備えたデュアルモニタ式光電スイッチ１００と同じコンセプトに基づいて各種の項目表示を行い得ることが理解できたであろう。
【０１４３】
以上、光ファイバ１４、１５を備えた反射型且つ一体型の光電スイッチ１００を例示して本発明を説明したが、本発明は、特にこの形式の光電スイッチに限定されるものではない。例えば、図３６〜図４０の形式の光電スイッチにも適用可能である。図３５〜図３８に図示の光電スイッチにおいて、前述した光電スイッチ１００に含まれる要素と同様の要素には同じ参照符号を付してある。
【０１４４】
図３６は、ケーシング１１の一端面に発光素子１２と受光素子１３を設け（図３６には、作図の関係上、図面に現れていない）、この発光素子１２から発せられた光を検出物Ｔに当て、反射した光を受光素子１３で直接的に受ける形式の光電スイッチ２００を示すものである。この光電スイッチ２００は、発光素子１２として半導体レーザ発光素子が採用されている。
【０１４５】
この光電スイッチ２００のケーシング１１の上面１１ａには、第１表示部１７と第２表示部１８とが上下に隣接して配置されている。また、このケーシング１１の上面１１ａには、バーＬＥＤモニタ４０と、発光インジケータ４１と、第１、第２の２つのホールドモードインジケータ４２、４３とが設けられている。また、第１実施例に含まれる上述のスイング式しきい値調整スイッチ２１は、アップキースイッチ４４とダウンキースイッチ４５との２つの独立したキースイッチで構成されている。
【０１４６】
バーＬＥＤモニタ４０は、受光素子１３の受光量に対応する電流値が、所定の値（しきい値レベル）から±２０％の範囲内に存在していることを表示する。図３７は、バーＬＥＤモニタ４０の部分を拡大して示す図である。同図から理解できるように、バーＬＥＤモニタ４０は、各段毎に８本の縦ＬＥＤを上下２段に配置した構成を有する。この構成は、図６を参照して説明した余裕度のバー形式の表示と実質的に同じである。
【０１４７】
右から４本目の縦ＬＥＤと５本目の縦ＬＥＤとの間にしきい値レベルを設定し、１本の縦ＬＥＤが５％の増加分又は減少分に設定すれば、しきい値レベルから±２０％の余裕度の増減を表示することができる。また、しきい値レベルを挟んで右側に位置する４本の縦セグメントに関しては下部の縦ＬＥＤを用い、左側に位置する４本の縦セグメントに関しては上部の縦ＬＥＤを用いれば、右から４本目の下部に位置する縦セグメントと５本目の上部に位置する縦セグメントとの間の点灯位置の相違によって、しきい値レベルをユーザに教えることができる。
【０１４８】
発光インジケータ４１は、発光素子１２から光が発せられているときに点灯され、発光素子１２の発光が停止されているときに消灯される。第１のホールドモードインジケータ４２は、受光素子１３が受け取った受光量の最大値を保持する第１保持モードが選択されたときに点灯される。第２のホールドモードインジケータ４３は、受光素子１３が受け取った受光量の最小値を保持する第２保持モードが選択されたときに点灯される。
【０１４９】
図３８は、図３６のレーザ式光電スイッチ２００の回路図である。この第２実施例の光電スイッチ２００は、レーザ発光素子を採用していることから、電源回路４６及び可変電源回路４７を備え、また、上述したバーＬＥＤモニタ４０のための発光回路４８を備えている。
【０１５０】
図３９は、他の光電スイッチ３００を示す。この光電スイッチ３００は、発光素子と受光素子を備えたヘッドユニット５１と、アンプやＣＰＵなどを内蔵した本体ユニット５２とを含み、これらはケーブル５３によって接続されている。この反射型且つ別体型の光電スイッチ３００にあっては、本体ユニット５２に上述した第１、第２の表示部１７、１８や操作部３６が設けられている。
【０１５１】
図４０は、図３９の光電スイッチの変形例であり、ヘッドユニット５１にも第１、第２の表示部１７、１８を設けた例を示すものであるが、ヘッドユニット５１にも、任意であるが、操作部３６を付加的に設けてもよい。
【０１５２】
以上、本発明を反射型光電スイッチを例に説明したが、発光部と受光部とが分離され、検出物を通過した光を発光部で受光する透過型の光電スイッチに対しても適用可能であることは言うまでもない。この透過型光電スイッチにあっても、受光部ユニット及び発光部ユニットのいずれか一方に第１、第２の表示部１７、１８又は一つの表示部６０を設けてもよく、受光部ユニット及び発光部ユニットの両者に、第１、第２の表示部１７、１８又は一つの表示部６０を設けてもよい。また、各種スイッチからなる操作部３６は、受光部ユニット及び／又は発光部ユニットに設ければよい。
【符号の説明】
【０１５３】
１００ 光電スイッチ
１７ 左側の第１表示部
１８ 右側の第２表示部
２１ 上下キースイッチ
２３ モード切り替えキースイッチ（Ｍキー）
５０ シングルモニタ式光電スイッチの表示部
【図１】
2010232186.tif 000003
【図２】
2010232186.tif 000004
【図３】
2010232186.tif 000005
【図４】
2010232186.tif 000006
【図５】
2010232186.tif 000007
【図６】
2010232186.tif 000008
【図７】
2010232186.tif 000009
【図８】
2010232186.tif 000010
【図９】
2010232186.tif 000011
【図１０】
2010232186.tif 000012
【図１１】
2010232186.tif 000013
【図１２】
2010232186.tif 000014
【図１３】
2010232186.tif 000015
【図１４】
2010232186.tif 000016
【図１５】
2010232186.tif 000017
【図１６】
2010232186.tif 000018
【図１７】
2010232186.tif 000019
【図１８】
2010232186.tif 000020
【図１９】
2010232186.tif 000021
【図２０】
2010232186.tif 000022
【図２１】
2010232186.tif 000023
【図２２】
2010232186.tif 000024
【図２３】
2010232186.tif 000025
【図２４】
2010232186.tif 000026
【図２５】
2010232186.tif 000027
【図２６】
2010232186.tif 000028
【図２７】
2010232186.tif 000029
【図２８】
2010232186.tif 000030
【図２９】
2010232186.tif 000031
【図３０】
2010232186.tif 000032
【図３１】
2010232186.tif 000033
【図３２】
2010232186.tif 000034
【図３３】
2010232186.tif 000035
【図３４】
2010232186.tif 000036
【図３５】
2010232186.tif 000037
【図３６】
2010232186.tif 000038
【図３７】
2010232186.tif 000039
【図３８】
2010232186.tif 000040
【図３９】
2010232186.tif 000041
【図４０】
2010232186.tif 000042